(57)【特許請求の範囲】
【請求項１】
配信ポイントデータベースが作成・管理する配信ポイントとコンテンツ情報データベースが作成・管理するコンテンツ情報とを関連付けたマッチングデータを作成・管理するデータ配信サーバを有する情報配信システムであって、
ユーザーが所持するモバイル端末から送信された移動予測データに関連する前記マッチングデータを前記モバイル端末にプッシュ送信する前記データ配信サーバを備え、
前記モバイル端末の記憶部に記憶されたアプリケーションには少なくとも、
前記モバイル端末の移動履歴に基づいてユーザーが移動する地点の予測を行う移動予測モジュールと、
前記移動履歴の基礎となる位置情報の取得後にロケーションサービスとの接続を切断する接続管理モジュールと、
前記マッチングデータに基づいて移動予測データに対応するコンテンツ情報のインデックスデータを作成するインデックス作成モジュール
とが備わっており、
前記モバイル端末の移動が予測された地点に関連するインデックスデータをユーザーにプッシュ告知する告知手段を備えることを特徴とする情報配信システム。
【請求項２】
前記インデックスデータは配信ポイントに対応するコンテンツの概要情報の紹介ファイルとコンテンツの詳細情報の紹介ファイルとを含むことを特徴とする請求項１に記載の情報配信システム。
【請求項３】
配信ポイントデータベースが作成・管理する配信ポイントとコンテンツ情報データベースが作成・管理するコンテンツ情報とを関連付けたマッチングデータがデータ配信サーバで作成・管理される情報配信方法であって、
前記データ配信サーバによりユーザーが所持するモバイル端末から送信された移動予測データに関連する前記マッチングデータを前記モバイル端末にプッシュ送信するステップを備え、
前記モバイル端末の記憶部に記憶されたアプリケーションには少なくとも、
移動予測モジュールにより前記モバイル端末の移動履歴に基づいてユーザーが移動する地点を予測するステップと、
接続管理モジュールにより前記移動履歴の基礎となる位置情報の取得後にロケーションサービスとの接続を切断するステップと、
インデックス作成モジュールにより前記マッチングデータに基づいて移動予測データに対応するコンテンツ情報のインデックスデータを作成するステップ
とが備わっており、
告知手段により前記モバイル端末の移動が予測された地点に関連するインデックスデータをユーザーにプッシュ告知するステップを備えることを特徴とする情報配信方法。
【請求項４】
前記インデックスデータは前記インデックス作成モジュールにより配信ポイントに対応するコンテンツの概要情報の紹介ファイルとコンテンツの詳細情報の紹介ファイルとを作成するステップを含むことを特徴とする請求項３に記載の情報配信方法。
【請求項５】
配信ポイントデータベースが作成・管理する配信ポイントとコンテンツ情報データベースが作成・管理するコンテンツ情報とを関連付けたマッチングデータがデータ配信サーバで作成・管理される情報配信プログラムであって、
前記データ配信サーバによりユーザーが所持するモバイル端末から送信された移動予測データに関連する前記マッチングデータを前記モバイル端末にプッシュ送信する機能を備え、
前記モバイル端末の記憶部に記憶されたアプリケーションには少なくとも、
移動予測モジュールにより前記モバイル端末の移動履歴に基づいてユーザーが移動する地点を予測する機能と、
接続管理モジュールにより前記移動履歴の基礎となる位置情報の取得後にロケーションサービスとの接続を切断する機能と、
インデックス作成モジュールにより前記マッチングデータに基づいて移動予測データに対応するコンテンツ情報のインデックスデータを作成する機能
とが備わっており、
告知手段により前記モバイル端末の移動が予測された地点に関連するインデックスデータをユーザーにプッシュ告知する機能を備えることを特徴とする情報配信プログラム。
【請求項６】
前記インデックスデータは前記インデックス作成モジュールにより配信ポイントに対応するコンテンツの概要情報の紹介ファイルとコンテンツの詳細情報の紹介ファイルとを作成する機能を含むことを特徴とする請求項５に記載の情報配信プログラム。
【発明の詳細な説明】
【技術分野】
【０００１】
本発明は、モバイル端末の移動が予測される地点に関連する有用なコンテンツ情報を配信するシステムである。
【背景技術】
【０００２】
従来から、移動体電話の所持者だけでなく、自動車や航空機、船舶などの位置情報を取得するための手段としてＧＰＳ（グローバル・ポジショニング・システム）や無線ＬＡＮなどが利用されており、昨今では、取得した位置情報に基づいて周辺のローカル情報を配信するサービスが例えば、ＮＴＴドコモが提供するオートＧＰＳサービスやオートＧＰＳ対応ｉコンシェル・サービスのほか、ＡＳＰ（アプリケーション・サービス・プロバイダー）方式で行われている。
【０００３】
しかしながら、オートＧＰＳサービスやオートＧＰＳ対応ｉコンシェル・サービスに加え、従来のＧＰＳ対応アプリケーションを用いたＡＳＰ方式のサービスでは、モバイル端末の位置情報を取得するため、常時、ＧＰＳや無線ＬＡＮとの接続をＯＮにしておく必要があったため、モバイル端末のバッテリーの消耗が激しく、長時間にわたる利用が困難であるという欠点があった。
【０００４】
また、ローカル情報等の配信もプッシュ型ではなく、ユーザー自らがデータセンターに取得しに行かねばならないものや、プッシュ型であっても配信される情報がメール送信によるテキスト情報だけでリッチコンテンツを含まないなど、移動に付随した適切かつ有効なローカル情報の自動取得という点では、満足のいくものではなかった。
【０００５】
この改善策として、ＧＰＳ機能を人為的に又はアプリケーションの機能により頻繁にＯＦＦにすることが行われているが、位置情報の精度が落ちるという問題があった。また、ＧＰＳを利用する代わりに、Ｗｉ−Ｆｉなどの無線ＬＡＮやキャリアネットワークの基地局のアクセスポイントを利用することも可能であるが、それらもバッテリーを消耗させる大きな原因となるため、現在のところ殆ど利用されていないのが現状である。
【先行技術文献】
【特許文献】
【０００６】
【特許文献１】特開２００７−１７９３９２号公報
【発明の概要】
【発明が解決しようとする課題】
【０００７】
本発明が解決しようとする問題点は、モバイル端末を所持しているだけでユーザーが移動する地点に関連する有用なコンテンツ情報を自動的に取得でき、しかも、バッテリーの消耗を抑制することで長時間の利用を可能にする点である。
【課題を解決するための手段】
【０００８】
本発明は、上の課題を解決するための手段として、配信ポイントデータベースが作成・管理する配信ポイントとコンテンツ情報データベースが作成・管理するコンテンツ情報とを関連付けたマッチングデータを作成・管理するデータ配信サーバを有する情報配信システムであって、ユーザーが所持するモバイル端末から送信された移動予測データに関連する前記マッチングデータを前記モバイル端末にプッシュ送信する前記データ配信サーバを備え、前記モバイル端末の記憶部に記憶されたアプリケーションには少なくとも、前記モバイル端末の移動履歴に基づいてユーザーが移動する地点の予測を行う移動予測モジュールと、前記移動履歴の基礎となる位置情報の取得後にロケーションサービスとの接続を切断する接続管理モジュールと、前記マッチングデータに基づいて移動予測データに対応するコンテンツ情報のインデックスデータを作成するインデックス作成モジュールとが備わっており、前記モバイル端末の移動が予測された地点に関連するインデックスデータをユーザーにプッシュ告知する告知手段を備えている情報配信システムを提案する。
【００１１】
本発明ではまた、上のいずれかの情報配信システムであって、前記インデックスデータは配信ポイントに対応するコンテンツの概要情報の紹介ファイルとコンテンツの詳細情報の紹介ファイルとを含んでなる情報配信システムも提案する。
【００１２】
本発明は更に、配信ポイントデータベースが作成・管理する配信ポイントとコンテンツ情報データベースが作成・管理するコンテンツ情報とを関連付けたマッチングデータがデータ配信サーバで作成・管理される情報配信方法であって、前記データ配信サーバによりユーザーが所持するモバイル端末から送信された移動予測データに関連する前記マッチングデータを前記モバイル端末にプッシュ送信するステップを備え、前記モバイル端末の記憶部に記憶されたアプリケーションには少なくとも、移動予測モジュールにより前記モバイル端末の移動履歴に基づいてユーザーが移動する地点を予測するステップと、接続管理モジュールにより前記移動履歴の基礎となる位置情報の取得後にロケーションサービスとの接続を切断するステップと、インデックス作成モジュールにより前記マッチングデータに基づいて移動予測データに対応するコンテンツ情報のインデックスデータを作成するステップとが備わっており、告知手段により前記モバイル端末の移動が予測された地点に関連するインデックスデータをユーザーにプッシュ告知するステップを備えている情報配信方法を提案する。
【００１５】
本発明ではまた、上のいずれかの情報配信方法であって、前記インデックスデータは前記インデックス作成モジュールにより配信ポイントに対応するコンテンツの概要情報の紹介ファイルとコンテンツの詳細情報の紹介ファイルとを作成するステップを含んでなる情報配信方法も提案する。
【００１６】
本発明は加えて、配信ポイントデータベースが作成・管理する配信ポイントとコンテンツ情報データベースが作成・管理するコンテンツ情報とを関連付けたマッチングデータがデータ配信サーバで作成・管理される情報配信プログラムであって、前記データ配信サーバによりユーザーが所持するモバイル端末から送信された移動予測データに関連する前記マッチングデータを前記モバイル端末にプッシュ送信する機能を備え、前記モバイル端末の記憶部に記憶されたアプリケーションには少なくとも、移動予測モジュールにより前記モバイル端末の移動履歴に基づいてユーザーが移動する地点を予測する機能と、接続管理モジュールにより前記移動履歴の基礎となる位置情報の取得後にロケーションサービスとの接続を切断する機能と、インデックス作成モジュールにより前記マッチングデータに基づいて移動予測データに対応するコンテンツ情報のインデックスデータを作成する機能とが備わっており、告知手段により前記モバイル端末の移動が予測された地点に関連するインデックスデータをユーザーにプッシュ告知する機能を備えている情報配信プログラムを提案する。
【００１９】
本発明ではまた、上のいずれかの情報配信プログラムであって、前記インデックスデータは前記インデックス作成モジュールにより配信ポイントに対応するコンテンツの概要情報の紹介ファイルとコンテンツの詳細情報の紹介ファイルとを作成する機能を含んでなる情報配信プログラムも提案する。
【発明の効果】
【００２０】
本発明に係る情報配信システム、情報配信方法及び情報配信プログラムによれば、ユーザーはモバイル端末を所持しているだけでその位置移動が予測され、予測された地点に関連した有用なコンテンツ情報を入手することができるため、仕事やショッピング、教育やレクリエーション、観光などあらゆるシチュエーションで居ながらにしてその情報を生活全般に役立てることができ、コンテンツ情報を入手できないことによる損失を回避することができる。
【００２１】
また、本発明に係る情報配信システム、情報配信方法及び情報配信プログラムによれば、モバイル端末を所持したユーザーの位置情報は、その現在及び過去の移動履歴に基づいて予測され、ＧＰＳや無線ＬＡＮなどの電波を常時受信している必要がないため、モバイル端末のバッテリー消耗を著しく抑制でき、長時間にわたり利用することができるという利点がある。
【図面の簡単な説明】
【００２２】
【図１】図１は本発明のシステム構成を示した概略説明図である。
【図２】図２は本発明で用いるモバイル端末の概略的な構成を示す説明図である。
【図３】図３は本発明を用いて情報の配信を受ける際の手順を示したフローチャートである。
【発明を実施するための形態】
【００２３】
図１は、本発明のシステム構成を示した概略説明図であり、１０はモバイル端末、１１は告知手段、１２はアプリケーション、１７は移動予測データ、２０は配信ポイントデータベース又は配信ポイントサーバ、２１は配信ポイント、３０はコンテンツ情報データベース又はコンテンツ情報サーバ、３１はコンテンツ情報、４０はデータ配信サーバ、４１はマッチングデータ、５０はロケーションサービス、５１は位置情報、６０は通信ネットワークである。図２は、本発明で用いるモバイル端末の概略的な構成を示す説明図であり、１３は記憶部、１４は移動予測モジュール、１５は接続管理モジュール、１６はインデックス作成モジュールである。
【００２４】
モバイル端末
本発明で用いられるモバイル端末１０は、通信ネットワーク６０を介してデータ配信サーバ４０と通信可能な状態であり、全地球測位システムであるＧＰＳを利用したロケーションサービス５０からの電波を受信する機能を備えている。また、本発明は主としてＧＰＳを利用するものであるが、アクセスポイントを取得できるＷｉ−Ｆｉ、Ｂｌｕｅｔｏｏｔｈ（登録商標）、ＩｒＤＡ、ビーコンなどの規格を用いた無線ＬＡＮやキャリアネットワークなどのロケーションサービスを併用することも可能であり、その場合はモバイル端末１０にはこれら電波を受信できる機能も備わっている。モバイル端末１０の記憶部１３に記憶されたアプリケーション１２には少なくとも、ロケーションサービス５０から取得した位置情報５１に基づいて移動履歴を作成・取得し、該移動履歴に基づいてユーザーが移動する地点の予測を行う移動予測モジュール１４と、前記位置情報５１の取得後にロケーションサービス５０との接続を切断する接続管理モジュール１５と、データ配信サーバ４０から取得したマッチングデータ４１に基づいてインデックスデータを作成するインデックスデータ作成モジュール１６とが備わっている。つまり、移動予測モジュール１４で作成された移動予測データ１７が通信ネットワーク６０を介してデータ配信サーバ４０に送られると、予測されるユーザーの移動地点の配信ポイントに関連するマッチングデータ４１が通信ネットワーク６０を介してモバイル端末１０にプッシュ型で送られ、アプリケーション１２のインデックス作成モジュール１６がマッチングデータ４１に基づくインデックスデータを作成し、告知手段１１にて閲覧可能に表示されることで、ユーザーが予測された地点に到着した時点では既に、その地点に関連する様々な情報が得られるようになっている。なお、インデックス作成モジュール１６で作成されるインデックスデータは、配信ポイントに関連するコンテンツの概要情報の紹介ファイルと、前記コンテンツの詳細情報の紹介ファイルの双方が含まれ、ユーザーは概要情報の紹介ファイルから所望のコンテンツを選択し、選択したコンテンツの詳細情報をその紹介ファイルから引き出して閲覧することが可能である。
【００２５】
配信ポイントデータベース
本発明で用いる配信ポイントデータベース２０は、地図上にコンテンツ情報を配信するための配信ポイントを設置し管理するデータベースであり、配信ポイント２１はクライアントからのリクエストや配信事業者が相応しいと認定した地点に設置される。例えば、或る地点の周辺にスーパーマーケットがあり、タイムサービスの特価品を販売する旨を付近にいる消費者に告知したい場合は、そのスーパーマーケットがクライアントとして配信事業者にリクエストすることによって配信ポイントとして設置される。また、海外の旅行会社が景勝地の土産店を付近にいる旅行者に紹介したい場合は、その旅行会社がクライアントとして配信事業者にリクエストすることにより配信ポイントとして設置される。更に、この地点には重要な注意情報を告知すべきであると配信事業者が認定した場合は、配信事業者自らが配信ポイントとして設置することになる。そうして、設置された配信ポイント２１は関連するコンテンツ情報３１とのマッチングを行うため、データ配信サーバ４０に送られる。配信ポイントデータベース２０はこのようにして配信ポイント２１を設置・管理するとともに、マッチング処理のために該配信ポイント２１をデータ配信サーバ４０に送信する。なお、配信ポイントデータベース２０は同機能を有する配信ポイントサーバに置き換えても良い。
【００２６】
コンテンツ情報データベース
本発明で用いるコンテンツ情報データベース３０は、設置された前記配信ポイントに対応して配信されるコンテンツ情報を作成し管理するデータベースであり、コンテンツ情報３１はクライアントから提供され又は配信事業者自ら創案した素材を用いて作成される。上の例にならえば、クライアントであるスーパーマーケットから提供された特価品に関する素材や、旅行会社から提供された土産店のお薦め品に関する素材を用いてコンテンツ情報を作成するほか、配信事業者が注意情報に関する自らの素材を用いてコンテンツ情報を作成することになる。コンテンツ情報３１は必ずしも娯楽のみならず、仕事やショッピング、教育やレクリエーション、観光などあらゆる分野が含まれる。そうして、作成されたコンテンツ情報３１は関連する配信ポイント２１とのマッチングを行うため、データ配信サーバ４０に送られる。コンテンツ情報データベース３０はこのようにしてコンテンツ情報を作成・管理するとともに、マッチング処理のために該コンテンツ情報３１をデータ配信サーバ４０に送信する。なお、コンテンツ情報データベース３０は同機能を有するコンテンツ情報サーバに置き換えても良い。
【００２７】
データ配信サーバ
本発明で用いるデータ配信サーバ４０は、配信ポイントデータベース２０で設置された配信ポイント２１とコンテンツ情報データベース３０で作成されたコンテンツ情報３１とを関連付けたマッチングデータを作成・管理するためのサーバであり、モバイル端末１０から送信された移動予測データ１７を受けて、その移動予測データ１７に係る地点に関連するマッチングデータ４１を抽出・選択し、抽出・選択されたマッチングデータ４１はそれに基づいてユーザーに告知するインデックスデータを作成するため、モバイル端末１０にプッシュ送信される。このように、データ配信サーバ４０は様々な配信ポイント２１と関連するコンテンツ情報３１をマッチング処理した多数のマッチングデータ４１を作成し、セットで管理しており、モバイル端末１０から移動予測データ１７が送られることで、その移動予測データ１７に係る地点に関連するマッチングデータ４１を抽出・選択し、モバイル端末１０にプッシュ送信するものである。なお、その作成・管理するマッチングデータ４１はテキストデータのみならず、リッチコンテンツデータも含んでいる。
【００２８】
ロケーションサービス
本発明で用いるロケーションサービス５０は、ＧＰＳ（全地球測位システム）を利用した位置情報サービスを主として利用し、ＧＰＳ衛星からの電波をモバイル端末１０が受信することによりユーザーの位置情報５１を取得する。一般的にはＧＰＳ衛星からの電波をモバイル端末が常時受信することで位置情報を取得するが、その場合はモバイル端末のバッテリーの消耗が著しいため、本発明ではモバイル端末１０の記憶部１３に記憶されたアプリケーション１２の接続管理モジュール１５がロケーションザービス５０から位置情報５１を取得した時点で、ロケーションサービス５０との接続を切断するようになっている。また、位置情報５１は現在のモバイル端末１０の位置データだけでなく、定期的に測位された過去の経時的な位置データも含まれており、それらに基づいて移動履歴を作成するため、まとめてモバイル端末１０に送られることになる。そうして、作成された移動履歴により、モバイル端末１０に記憶されたアプリケーション１２の移動予測モジュール１４が、その経時的な位置データに基づく移動予測データ１７を作成・取得することになる。なお、ロケーションサービス５０が取得する位置情報には現在のモバイル端末１０の位置情報だけでなく、現在及び過去の移動地点、移動時間、移動距離に関する情報が含まれており、それらが一まとめの位置情報としてモバイル端末１０に送られる。また、ロケーションサービス５０はＧＰＳ（全地球測位システム）のほか、通信事業者のキャリアネットワークやＷｉ−Ｆｉなどの無線ＬＡＮを利用することもでき、その場合はそれら基地局のアクセスポイントからモバイル端末１０の位置情報を取得することになる。
【実施例】
【００２９】
図３は、本発明を用いて情報の配信を受ける際の手順を示したフローチャートであり、各構成毎のステップ又は機能を時系列で表したものであるが、これを用いて本発明の実施形態を説明すると、以下のとおりである。
【００３０】
先ず、本発明を用いて情報が配信・告知される前の各要素の状態は次のようになっている。モバイル端末１０はロケーションサービス５０からの電波を受信可能な状態になっており、一定時間におけるモバイル端末１０の位置情報をロケーションサービス５０から取得している。また、モバイル端末１０はデータ配信サーバ４０とも通信が可能な状態となっており、その位置移動に伴って位置情報に対応するマッチングデータがデータ配信サーバ４０からプッシュ送信されるのを待機している状態にある。
【００３１】
データ配信サーバ４０は配信ポイントデータベース２０及びコンテンツ情報データベース３０と通信可能な状態となっており、配信ポイントデータベース２０からは配信ポイント２１に関する情報の送信を待機しており、コンテンツ情報データベース３０からはコンテンツ情報３１の送信を待機している状態にある。データ配信サーバ４０はまた、モバイル端末１０の記憶部１３に記憶されたアプリケーション１２の移動予測モジュール１４が実行することで得られる移動予測データ１７の送信を待機している状態にある。
【００３２】
配信ポイントデータベース２０は配信事業者の意図又はクライアントの要請により、地図上の所望の地点にコンテンツ情報を配信するための配信ポイント２１を設置すると共にその情報を保存管理する作業を行い、マッチングデータ４１を作成するためにその配信ポイント２１をデータ配信サーバ４０に送信する作業を行っている状態にある。配信ポイント２１は配信ポイントデータベース２０からデータ配信サーバ４０にランダムに送信しても構わないが、データ配信サーバ４０でのマッチング処理が容易に行えるよう、コンテンツ情報データベース３０で作成されるコンテンツ情報３１と何らかの紐付け（関連付け）がされた上でデータ配信サーバ４０に送信されることが望ましい。紐付けはファイルナンバーやファイル名など複数の情報を関連付けられる公知の方法で構わない。
【００３３】
コンテンツ情報データベース３０は配信事業者の意図又はクライアントの要請により、前記した配信ポイント２１で配信したいと希望するコンテンツ情報３１を作成すると共にその情報を保存管理する作業を行い、マッチングデータ４１を作成するためにそのコンテンツ情報３１をデータ配信サーバ４０に送信する作業を行っている状態にある。上で述べたように、コンテンツ情報３１はコンテンツ情報データベース３０からデータ配信サーバ４０にランダムに送信しても構わないが、データ配信サーバ４０でのマッチング処理が容易に行えるよう、配信ポイントデータベース２０で設置される配信ポイント２１と何らかの紐付け（関連付け）がされた上でデータ配信サーバ４０に送信されることが望ましい。紐付けは上で述べた公知の方法で構わない。
【００３４】
次に、上の状況において、本発明により情報が配信・告知される手順を説明すると次のとおりである。配信ポイントデータベース２０から送られた配信ポイント２１とコンテンツ情報データベース３０から送られたコンテンツ情報３１に基づいて、データ配信サーバ４０は各配信ポイントに対応するコンテンツ情報とのマッチング処理を行い、マッチングデータ４１を作成すると共に、そのデータを保存管理している。
【００３５】
かかるところ、ロケーションサービス５０から位置情報５１を受け取ったモバイル端末１０は、その位置情報５１に基づいて移動履歴を作成・取得する。すると、モバイル端末１０の記憶部１３に記憶されたアプリケーション１２の接続管理モジュール１５が機能してロケーションサービス５０との接続を切断し、一定時間、ロケーションサービス５０からの電波を受信しない状態となる。ＧＰＳ（全地球測位システム）やＷｉ−Ｆｉなどの無線ＬＡＮとの接続によりモバイル端末１０のバッテリーが著しく消耗するため、一定時間ロケーションサービス５０との接続を強制的に切断することで、バッテリーの消費を大幅に節約することができる。
【００３６】
位置情報５１が取得されると続いて、モバイル端末１０において移動履歴が作成・取得され、その記憶部１３に記憶されたアプリケーション１２の移動予測モジュール１４が機能して、モバイル端末１０を所持するユーザーのその後の移動地点を予測する処理が行われる。その際、ロケーションサービス５０から取得される位置情報５１には現在位置のほか、現在及び過去の移動地点や移動時間及び移動距離の情報が含まれるため、例えば、モバイル端末１０を所持するユーザーが電車で移動している場合、取得した位置情報５１に基づいて作成された移動履歴には短時間で長距離を移動している情報が反映されることになる。そのため、移動予測モジュール１４は短時間で長距離移動の情報が反映された移動履歴に基づいて、モバイル端末１０を所持するユーザーのその後の移動予測処理を行い、適切な移動予測データ１７を作成することになる。
【００３７】
次いで、移動予測モジュール１４にて移動予測データ１７が作成されると、モバイル端末１０からその移動予測データ１７がデータ配信サーバ４０に送られる。移動予測データ１７を取得したデータ配信サーバ４０は、移動予測データ１７に係る地点と前記保存管理しているマッチングデータに係る配信ポイントとを参照し、移動が予測される地点に関連するコンテンツ情報からなるマッチングデータ４１を選択し、モバイル端末１０にこれを送信する。前記したように、マッチングデータ４１の基となるコンテンツ情報３１と配信ポイント２１は紐付け（関連付け）されているため、移動が予測される地点が明らかになることで直ちに、その地点若しくはその周辺に設置される配信ポイント２１が特定され、その配信ポイント２１に関連するコンテンツ情報３１が抽出されるようになっている。その意味で、マッチングデータ４１は配信ポイント２１とコンテンツ情報３１がパッケージ化されたデータと言うことができる。なお、モバイル端末１０の移動に伴う移動履歴の取得から移動予測データ１７の生成、及び、該移動予測データ１７に基づくデータ配信サーバ４０でのマッチングデータ４１の選択は自動的に処理され、しかも、選択されたマッチングデータ４１はプッシュ型でモバイル端末１０に送信されるため、モバイル端末１０を所持するユーザーの手を煩わすことがない。
【００３８】
かくして、データ配信サーバ４０から選択されたマッチングデータ４１がモバイル端末１０に送信されると、続いて、モバイル端末１０の記憶部１３に記憶されたアプリケーション１２のインデックス作成モジュール１６が機能して、移動が予測される地点若しくはその周辺に関連するコンテンツ情報のインデックスデータが生成・作成され、モバイル端末１０に備え付けの告知手段１１に閲覧可能に表示されることになる。インデックスデータはコンテンツの概要情報を紹介するファイル又はその詳細情報を紹介するファイルのいずれか一方でも構わないが、多くのコンテンツがある場合、その概要情報の紹介ファイルをインデックス表示し、ユーザーによって所望のコンテンツが選択された時点で詳細情報の紹介ファイルが閲覧可能に表示されるようにしたほうが使い勝手が良い。そのため、本発明のコンテンツ作成モジュール１６ではコンテンツの概要情報の紹介ファイルと詳細情報の紹介ファイルの双方を作成することが望ましい。
【００３９】
以上が本発明に係る情報配信システムを用いてコンテンツ情報をユーザーが所持するモバイル端末１０に配信・告知する手順であり、本発明に係る情報配信方法ではこれと同じステップを実行することで配信・告知を行い、また、本発明に係る情報配信プログラムではこれと同じ手順をプログラムの機能により実行することで配信・告知を行うことになる
【産業上の利用可能性】
【００４０】
本発明に係る情報配信システム、情報配信方法、情報配信プログラムを用いることで、ユーザーはモバイル端末を所持しているだけで移動する地点若しくはその周辺のコンテンツ情報を入手することができるため、ショッピングや娯楽、観光や教育などあらゆる場面で自己の行動に役立てることができ、災害等の緊急時には避難誘導などの情報を提供する手段として利用することもできる。一方、自己の商品やサービスなどの販売促進を希望するクライアントにとっては、配信ポイントとコンテンツ情報を事業者に提供して配信要請するだけで近隣を移動する全てのモバイル端末にコンテンツのインデックスデータが配信・告知されるため、多くの時間や経費を費やして広告・宣伝を行う煩わしさから解消される。
【符号の説明】
【００４１】
１０    モバイル端末
１１    告知手段
１２    アプリケーション
１３    記憶部
１４    移動予測モジュール
１５    接続管理モジュール
１６    インデックス作成モジュール
１７    移動予測データ
２０    配信ポイントデータベース
２１    配信ポイント
３０    コンテンツ情報データベース
３１    コンテンツ情報
４０    データ配信サーバ
４１    マッチングデータ
５０    ロケーションサービス
５１    位置情報
６０    通信ネットワーク
【図１】
0005956176.tif 000002
【図２】
0005956176.tif 000003
【図３】
0005956176.tif 000004